(57)【要約】      （修正有）【課題】第１の表示部と第２の表示部とを同時に表示する場合であっても、第２の表示部の視認性を損なうことなく、低消費電力化を図ることができる液晶表示装置を提供することを目的とする。【解決手段】第１の表示部である液晶セル１２と、液晶セル１２の裏面を照明するバックライト１４と、バックライト１４の裏面側に配置された第２の表示部である回転リール１６を有し、液晶セル１２の表面側から見て液晶セル１２の表示内容と回転リール１６の表示内容とを同時に表示する液晶表示装置１０において、バックライト１４の導光板２０の裏面には、回転リール１６に対応する位置に透光凹部２８が設けられ、透光凹部２８の周壁に裏面側ほど外方に拡がる傾斜面３０が設けられ、傾斜面３０には、複数の第１突条３２により第１のプリズムが形成され、該傾斜面３０から出射される光を屈折させて第２の表示部１６に照射する集光シート３４を備えていることを特徴とする。【選択図】図２
2007010755.tif 000002
【特許請求の範囲】
【請求項１】
第１の表示部である液晶セルと、
前記液晶セルの裏面側に配置され前記液晶セルを照明するバックライトと、
前記バックライトの裏面側に配置された第２の表示部を有し、
前記バックライトは、導光板と前記導光板の少なくとも対向する一対の側部に配された光源とを少なくとも有し、
前記液晶セルの表面側から見て前記液晶セルの表示内容と前記第２の表示部の表示内容とを同時に表示する液晶表示装置において、
前記導光板の裏面には、前記第２の表示部に対応する位置に透光凹部が設けられ、
前記透光凹部の周壁に裏面側ほど外方に拡がる傾斜面が設けられ、
前記傾斜面には、複数の第１突条によって第１のプリズムが形成され、該傾斜面から出射される光を屈折させて前記第２の表示部に照射する集光シートを備えていることを特徴とする液晶表示装置。
【請求項２】
前記導光板の表面における前記傾斜面と対向する位置に複数の第２突条によって第２のプリズムを形成したことを特徴とする請求項１に記載の液晶表示装置。
【請求項３】
前記第１突条及び前記第２突条が、少なくとも前記透光凹部の左右辺においてこの辺に沿うように縦方向に延びるように設けられていることを特徴とする請求項１または２に記載の液晶表示装置。
【請求項４】
前記第１突条及び前記第２突条の間隔が、１０〜１００μｍであることを特徴とする請求項２または３に記載の液晶表示装置。
【請求項５】
前記第２表示部は回転リールによって形成され、この回転リールを照射するリール用光源を前記バックライトの裏面側に配置したことを特徴とする請求項１〜４のいずれかに記載の液晶表示装置。
【発明の詳細な説明】
【技術分野】
【０００１】
本発明は、スロット遊技機などに使用される液晶表示装置に関するものである。
【背景技術】
【０００２】
最近、スロットマシンの前面に画像表示を行う画像表示装置を配置したスロット遊技機が流行している。
【０００３】
このようなスロット遊技機は、画像表示装置として、表示面の一部に光を透過する透過部分が設けられた液晶表示装置と、この透過部分からスロットゲームが視認できるよう配置された機械式の回転リールが取り付けられ、液晶表示装置の表面から見ると、液晶セルに表示された内容と回転リールで表示された数字や絵柄等が同時に視認できる構造のものが提案されている（例えば、特許文献１参照）。
【０００４】
上記のような従来の液晶表示装置１００は、図４に示すように、液晶セル１０２と液晶セル１０２を照射するバックライト１０４から構成されている。バックライト１０４は、導光板１１０と、この導光板１１０の両側部に配された直管状のランプ１１２と、ランプ１１２と導光板１１０とを覆う反射板１１４とより構成されており、導光板１１０の中央部には、貫通した透光凹部１１６が設けられ、この透光凹部１１６の位置の下方に回転リール１０８が配置されている。これにより、ランプ１１２の光は導光板１１０を介して液晶セル１０２の裏面側から入射し、液晶セル１０２を照明することにより、液晶セル１０２のシャッター動作によって画像を表示するとともに、透光凹部１１６を通して回転リール１０８を液晶セル１０２の表面から見ることができる。
【特許文献１】特開２００４−８７０５号公報
【発明の開示】
【発明が解決しようとする課題】
【０００５】
上記のような液晶表示装置１００では、透光凹部１１６が設けられた部分にランプ１１２からの光が届かないため、透光凹部１１６の後方に配置された回転リール１０８の表示が暗くて見えにくいおそれがある。そのため、バックライト１０４の裏面に回転リール用ランプ１１８を配設して回転リール１０８を直接照明する場合もあるが、このような場合、消費電力が増大する問題がある。
【０００６】
本発明は上記問題に鑑みてなされたものであり、第１の表示部である液晶セルと第２の表示部である回転リールを同時に表示する場合であっても、第２の表示部の視認性を損なうことなく、低消費電力化を図ることができる液晶表示装置を提供することを目的とする。
【課題を解決するための手段】
【０００７】
本発明の液晶表示装置は、第１の表示部である液晶セルと、この液晶セルの裏面側に配置され液晶セルを照明するバックライトと、このバックライトの裏面側に配置された第２の表示部を有し、バックライトは、導光板とこの導光板の少なくとも対向する一対の側部に配された光源とを少なくとも有し、液晶セルの表面側から見て液晶セルの表示内容と第２の表示部の表示内容とを同時に表示する液晶表示装置において、導光板の裏面には、第２の表示部に対応する位置に透光凹部が設けられ、この透光凹部の周壁に裏面側ほど外方に拡がる傾斜面が設けられ、この傾斜面には、複数の第１突条によって第１のプリズムが形成され、該傾斜面から出射される光を屈折させて第２の表示部に照射する集光シートを備えていることを特徴とする。
【発明の効果】
【０００８】
以上のように、本発明によれば、バックライトが有する光源にて発する光を、傾斜面に形成された突条によりバックライトの裏面側へ誘導し、誘導した光を集光シートにより集光して第２の表示部に照射することができる。そのため、第２の表示部の視認性を損なうことなく、第２の表示部を直接照明する光源の輝度を抑えることができ、低消費電力化を図ることができる。
【発明を実施するための最良の形態】
【０００９】
以下、本発明の一実施形態について図面を参照して説明する。
【００１０】
図１は、本発明の一実施形態に係る液晶表示装置１０の平面図であり、図２（ａ）は同装置１０のＡ−Ａ線に沿う縦断面図、図２（ｂ）は同装置１０のＢ−Ｂ線に沿う横断面図、図３は導光板２０の平面図である。
【００１１】
液晶表示装置１０は、スロット遊技機における画像表示装置として使用されるものであり、図１、２に示すように、第１の表示部である液晶セル１２とバックライト１４と第２の表示部である機械式の回転リール１６とを備え、液晶セル１２とバックライト１４は、金属製であって額縁状のベゼルカバー１８に収納されている。
【００１２】
液晶セル１２は、例えば対角１５インチのアクティブマトリックスル型の液晶セルであって、アモルファスシリコンより形成された薄膜トランジスタを有している。なお、不図示であるが、液晶セル１２には、信号線側駆動回路及び走査線側駆動回路を有した配線基板が接続されている。
【００１３】
液晶セル１２の裏面側に配されたバックライト１４は、導光板２０と、この導光板２０の対向する上下一対の側面側に配された一対の直管状の冷陰極管からなるランプ２２、２２と、リフレクタを備えた金属製のリアベゼル２４と光学シート２６とから構成されている。
【００１４】
導光板２０は、アクリル樹脂等の透光性に優れた材質にて形成されており、平面形状が矩形であり、裏面のほぼ中央に平面形状が矩形の透光凹部２８が設けられている。この透光凹部２８が設けられている位置は回転リール１６が配される位置に相当する。透光凹部２８は、導光板２０の裏面から表面へ貫通する貫通孔であって、その四周壁の裏面側端部は裏面側ほど外方へ拡がる傾斜面３０となっている。
【００１５】
この傾斜面３０には、図２（ｂ）、図３（ａ）に示すように、透光凹部２８に対して縦方向に延びる断面鋸歯状の第１突条３２が複数条設けられ、これにより傾斜面３０がプリズム形状をなしている。これらの第１突条３２は、頂角θが例えば約９０°に形成されており、各突条３２の間隔Ｗが例えば５０μｍで形成されている。さらに、複数の第１突条３２が設けられた傾斜面３０に対向して傾斜面３０の内側には、集光シート３４が設けられている。この集光シート３４は、例えば、一面側に不図示の突条が複数条設けられたいわゆるプリズムシートが用いられ、傾斜面３０から出射された光を回転リール１６の所定の領域に分布する状態で屈折させて集光させるものである。
【００１６】
また、導光板２０には、傾斜面３０に形成された第１突条３２以外にも、同様の突条が導光板２０の表面及び裏面に形成されている。詳細には、図２（ｂ）、図３（ｂ）に示すように、導光板２０の表面における傾斜面３０と対向する位置、即ち透光凹部２８の開口部周縁部分には、縦方向に沿った方向に延びる断面鋸歯状の第２突条３６が複数条設けられ、これによりプリズム形状をなしている。一方、導光板２０の裏面は、図２（ａ）、図３（ａ）に示すように、透光凹部２８を除く部分に横方向に延びる断面鋸歯状の第３突条４０が複数条設けられて反射部として構成されている。
【００１７】
この第３突条４０は、導光板２０端面より入射されたランプ２２からの光を液晶セル１２側に反射させるためのものであって、この作用を呈する円状、円柱状等のプリズム形状、または切込み溝等によって反射部を形成してもよいし、あるいは省略することも可能である。
【００１８】
導光板２０の両側面には一対のランプ２２が対向配設され、ランプ２２の外周面のうち導光板２０の側面と対向する部分以外の部分と導光板２０の裏面のうち透光凹部２８を除く部分とを金属製のリアベゼル２４が覆っている。このリアベゼル２４は、ランプ２２に対してはリフレクタとしても機能しており、このため内面に白色塗装を施したり、光反射効率に優れたアルミ材等によって形成されている。必要であればリアベゼル内面を全面白色塗装としたり、反射シートを介在させたり、リアベゼル２４と導光板２０裏面間に反射シートを介在させることも可能である。導光板２０の表面には、拡散板３２及びプリズムシート３５とを積層してなる光学シート２６が配設されている。このリアベゼル２４にベゼルカバー１８を嵌合装着させることにより、これらバックライト１４と液晶セル１２とを一体化させている。
【００１９】
一方、回転リール１６は、バックライト１４の裏面側であって、透光凹部２８に対向する位置に設けられ、バックライト１４から若干の間隔を開けて配されている。この回転リール１６の少なくとも透光凹部２８から露呈する表示面は、バックライト１４の裏面側に配設されたリール用ランプ３８により直接照明されるようになっている。
【００２０】
上記構成の液晶表示装置１０において、液晶セル１２面に画像を表示する場合には、信号線側駆動回路から画像信号を、走査線側駆動回路から走査線信号を液晶セル１２に与えるとともに、ランプ２２、２２を点灯させて導光板２０を介して液晶セル１２を照明することで画像を表示する。
【００２１】
この場合にランプ２２、２２からの光は、導光板２０を通過する際に、リアベゼル２４、あるいは反射シート及び第３突状４０等によって表面側へ反射され、拡散板３２、プリズムシート３５を介して均一に液晶セル１２の裏面側から入射し、液晶セル１２を照明する。
【００２２】
一方、回転リール１６は、リール用ランプ３８により照明されることにより、液晶セル１２の表面側から見た場合に、この透光凹部２８の部分を通じて回転リール１６の表示状態が認識できるようになっている。
【００２３】
その際、透光凹部２８の４周壁には第１突条３２及び集光シート３４を備えた傾斜面３０が設けられているため、ランプ２２、２２からの光の一部を該傾斜面３０から回転リール１６面側に出射させて回転リール１６の照明に効率よく利用することができる。これにより、リール用ランプ３８の輝度を減少させても、回転リール１６に照射される光量を所定量に維持することができるため、回転リール１６の視認性を損なうことなく、リール用ランプ３８の消費電力を低減、もしくは、リール用ランプ３８の配設数量を削減することで低消費電力化を図ることができる。
【００２４】
また、現状と同じ電力でリール用ランプ３８を点灯駆動させるようにした場合には、回転リール１６の表示面をより明るく照射することが可能となるので、回転リール１６の表示面の視認性を向上させることが可能となる。
【００２５】
また、ランプ２２、２２からの光が傾斜面３０からバックライト１４の裏面側へ出射することで導光板２０内の透光凹部２８近傍の光量が減少する虞があるが、導光板２０の表面における傾斜面３０と対向する位置には、複数の第２突条３６が設けられてプリズム作用をなしているため、透光凹部２８近傍の光量の減少分を補完することが可能となり、液晶セル１２を他の部分と同様に明るく照明することができる。
【００２６】
また、第１突条３２と第２突条３６を縦方向に延びるように設け、第３突条４０を横方向に延びるように設けることにより、導光板２０内を通過する光は突条の延びる方向に伝播し易いため、液晶表示装置１０を正面から見た場合に透光凹部２８の縦方向近傍の視認性を向上させることができるとともに、液晶表示装置１０を横方向から見た場合の光抜けも防止されているので視認性も向上させることができる。そのため、スロット遊技機に本実施形態の液晶表示装置１０が組み付けられた場合、該遊技機のプレーヤに対して上下方向の視認性は勿論のこと、例えばパチンコ店の従業員などが監視のために左右方向から該遊技機を見る場合であっても良好に液晶表示装置１０の表示画像を視認することができる。
【００２７】
また、導光板２０の表面に設けられた第１突条３２及び第２突条３６の間隔を１００μｍより大きく設定すると液晶セル１２と干渉が生じるおそれがあり、また、１０μｍより小さく設定すると充分なプリズム効果が得られないおそれがある。そのため、突条３２、３６の間隔は、１０〜１００μｍ、より好ましくは２０〜５０μｍの範囲で設定される。
【００２８】
なお、本実施形態では、第１突条３２を縦方向に延びるように設けたが、例えば、透光凹部２８を取り囲むよう透光凹部２８の各辺と平行となるように第１突条３２を設けるなど、傾斜面３０より光を回転リール１６の方へ誘導することができるプリズム形状であってもよく、かかる場合であっても、上記のような低消費電力化を図ることができる。
【００２９】
また、本実施形態では、傾斜面３０に設けられた第１突条３２の間隔を等間隔に設けたが、例えば、回転リール１６と離隔している位置ほど第１突条３２の間隔を狭くなるように設けたり、あるいは、第１突条３２の高さや頂角を適宜調整することによって、回転リール１６の表示面に照射される光量を均一にして輝度ムラを改善してもよい。
【００３０】
また、ランプ２２として直管状のランプを使用した場合について説明しているが、これをＬ字状もしくはコ字状のランプを使用した光源とすることも可能であり、更には、これらランプ２２及びリール用ランプ３８を冷陰極管に代えてＬＥＤ等を使用した光源とすることも可能で、この場合にはより一層の低消費電力化が達成できる。このＬＥＤ光源を採用する場合には、光の直進性が高いために均一照射が難しい場合には、光源と導光板２０間、及び光源と回転リール間に拡散板を介在させる等の手段を講じることにより、均一な照射光とすることが可能となる。また、何れか一方の光源に冷陰極管を使用し、他方の光源にＬＥＤを使用する等の組合せも可能である。
【産業上の利用可能性】
【００３１】
本発明の液晶表示装置は、スロット遊技機における画像表示装置などに好適に用いられる。
【図面の簡単な説明】
【００３２】
【図１】本発明の第１の実施形態に係る液晶表示装置の平面図である。
【図２】（ａ）は図１のＡ−Ａ線断面図、（ｂ）は図１のＢ−Ｂ線断面図である。
【図３】（ａ）は導光板の裏面を示す平面図、（ｂ）は導光板の表面を示す平面図、
【図４】従来の液晶表示装置の断面図である。
【符号の説明】
【００３３】
１０…液晶表示装置
１２…液晶セル（第１の表示部）
１４…バックライト
１６…回転リール（第２の表示部）
１８…ベゼルカバー
２０…導光板
２２…ランプ（光源）
２４…リアベゼル
２６…光学シート
２８…透光凹部
３０…傾斜面
３２…第１突条
３４…集光シート
３６…第２突条
３８…リール用ランプ（リール用光源）
【図１】
2007010755.tif 000003
【図２】
2007010755.tif 000004
【図３】
2007010755.tif 000005
【図４】
2007010755.tif 000006